(57)【要約】      （修正有）【課題】情報発信をしたいと考えるユーザーが、自分自身で情報を発信したいと考えるキーワードで、インターネット上の情報源からクローラープログラムによって、情報を蓄積し、情報を発信したいユーザーとユーザー管理データーベースと連動させ、情報発信したいユーザーが、情報を発信できるアプリケーション、ＷＥＢサイトを簡単に構築できるようにする。【解決手段】ユーザーが、情報を収集・配信したいキーワードを設定すると、設定したインターネット上の情報収集元としてのＷＥＢサービスからクローラープログラムにより自動で情報を収集し、情報蓄積データーベースに情報を蓄積し、ユーザー管理データーベースとヒモ付けすることで、簡単にＷＥＢサイト・アプリケーションを構築し、収集した情報を編集・配信することをできるようにしたＷＥＢサービス、アプリケーションを簡単に作成出来るようにした。【選択図】図２
2014238799.tif 000002
【特許請求の範囲】
【請求項１】
特定の情報を発信したいと考えるユーザーが、自身の情報を取得したいと考える情報源から情報を収集し、他のユーザーに対し情報発信を行うためのスマートフォンやその他情報端末上で動くアプリケーション、および、ＷＥＢサービスを簡単に作成出来る自動情報収集配信プログラム。
【請求項２】
情報配信サーバー、情報蓄積用データベースサーバー、クローラー（情報収集エンジン）により、個々のユーザーが必要としている情報を個々のユーザーが設定したインターネット上の情報収集元から集め、ユーザーの求めに応じてスマートフォンやその他情報端末、ＷＥＢサービスに対し配信して画面上に表示させる自動情報収集配信プログラム。
【請求項３】
情報配信サーバーに保存された情報を、ユーザーの求めるキーワードに応じて、ユーザー自身のＷＥＢコンテンツの一部のスペースに対して、情報を配信する自動情報収集配信プログラム。
【請求項４】
情報を配信したいと考えるユーザーがインターネット上にある情報を配信したいと考えるユーザー自身の求めるキーワードに対してユーザー自身が設定した情報収集元から自動で情報を収集し、サーバーに蓄積し、情報を配信したいと考えるユーザーが編集を加えた上で、ＷＥＢコンテンツ、もしくは、情報端末上で該当キーワードに興味のある参加ユーザー同士で論評を加える目的で、閲覧可能な状態にしインターネットを介してスマートフォンやその他情報端末、もしくは、ＷＥＢ上に配信する自動情報収集配信プログラム。
【請求項５】
前述の請求項４に記載の参加ユーザー、および、論評を加えるユーザー同士が、お互いが論評しやすくするために、スマートフォンやその他情報端末あるいはパソコン上で選択したコメントから派生する一連のコメントをスマートフォンやその他情報端末あるいはパソコン上の一定の操作を用いて、階層別に表示するプログラム。
【請求項６】
また、請求項１、請求項４において、特定の情報を発信したいと考えるユーザーが、自動情報収集配信プログラムを利用し、特定の情報を発信するＷＥＢサービス、スマートフォンやその他情報端末上で動くアプリケーションを運営し広告収入を得たいと考えた場合、自動情報収集配信プログラムサービス提供者と提供された自動情報収集配信プログラムを利用しＷＥＢサービス、アプリケーションを運営するユーザーの間で、一定比率での広告収入を分配する（例えば、広告がクリックされた回数や時間配分の比率によって）プログラム。
【発明の詳細な説明】
【技術分野】
【０００１】  本発明は、情報端末やＷＥＢコンテンツに対し、情報配信を行うＷＥＢサービスやスマートフォンやその他情報端末上で動くアプリケーションサービスを実施したいと考える個人や法人ユーザーに対して、設定されたキーワードに基づいて情報をひとつひとつ検索することなく、ユーザーが指定するインターネット上の情報源から集めて、データーベースに蓄積し、情報を一定のキーワードにおいて情報を閲覧したいと考える一般ユーザーに対し、配信する為の機会を与えるプログラムに関するものである。
【背景技術】
【０００２】現在のインターネット上の検索サービスにおいては、１つのキーワードに該当する情報を収集する為には、検索で出力された内容に対して、情報が載っていると思われるホームページを１つ１つ見ていく必要がある。【０００３】検索サービス等の様々なサービスを提供するＷＥＢページをポータルサイトと呼ぶが、情報を得たいと考える人は、ポータルサイト内部で蓄積された情報を閲覧する、または、ポータルを出発点として、検索の結果として表示される様々なＷＥＢページを閲覧する場合が、多い。【０００４】いつも同じいくつかのＷＥＢサービスから、情報を収集している人にとっては、毎回ＷＥＢサービスを閲覧しては、他のＷＥＢサービスを閲覧するという作業が発生している。
【発明の概要】
【発明が解決しようとする課題】
【０００５】  しかし、現在のＷＥＢページは、膨大であり、閲覧し、自分の求める情報に行きつくためには、労力を必要とし、また、その情報を自分で簡単に配信・編集できるまでには至っていない。【０００６】また、同じ趣味嗜好をもつ者と、同じ話題を常に共有し、お互いの趣味思考に対して、交流を深めるためのアプリケーションを簡単に作成出来る環境は、現在では、存在しない。【０００７】また、スマートフォンなどの情報端末において、所望のＷｅｂページを検索したり、ポータルサイトや、スマートフォン用のアプリケーションなどから様々な項目を選択し、検索して情報の掲載されていると思われるＷＥＢページを探して行く事で、携帯情報端末の通信量が増加する。このような作業で、探し求める情報に行きつくためには、かなりの時間を有する。探し求める情報の載ったＷＥＢサイトに行きついたとしても、そこでその情報に興味を持つ他者と交流することはできない。【０００８】現在のインターネット上の掲示板プログラムや、スマートフォンのアプリ上の掲示板プログラムにおいては、ユーザー同士のコメントが、時系列に並ぶために、だれがどのコメントに対してコメントしたのかが非常に分かりずらいものとなっている。【０００９】現在のインターネットの広告は、基本的にはサービス提供者か、ＷＥＢコンテンツを運営しているＷＥＢ管理者の配信したい広告が配信されているのみで、サービス提供者と、そのサービスを使ってコンテンツを運営しているユーザーで、広告スペースを分けあうという状況にはない。【００１０】本発明は、上記に述べた課題を解決する為の発明であって、情報発信をしたいと考えるユーザーが、自分自身で情報を発信したいと考えるキーワードにおいて、ユーザー自身が、選定する情報源からクローラープログラムによって、情報を情報蓄積データベースサーバーにおいて蓄積し、情報を発信したいユーザーとユーザー管理データーベースと連動させ、ヒモ付けすることで情報発信したいユーザーが、情報を発信できるアプリケーション、ＷＥＢサイトを簡単に構築できるようにするためのものである。また、この発明により、特定のジャンルの上で各ユーザーによりアプリケーション、ＷＥＢサイトは、構築され、積極的に交流を持つことが可能となり、サービス提供者のみならず、この自動情報収集配信プログラムによって、作成されたアプリケーション、ＷＥＢサイトを運営するユーザー自身にも広告収入をもらたすものである。
【課題を解決するための手段】
【００１１】  本発明は、ユーザー（個人、法人を問わず）が、情報を収集・配信したいキーワードを設定すると、設定したインターネット上の情報収集元としてのＷＥＢサービスからクローラープログラムにより自動で情報を収集し、情報蓄積データーベースに情報を蓄積し、ユーザー管理データーベースとヒモ付けすることで、簡単にＷＥＢサイト・アプリケーションを構築し、収集した情報を編集・配信することをできるようにし、同時に、ユーザー自身が、コンテンツの配信、編集の権限を持つＷＥＢサービス、アプリケーションを簡単に作成出来るようにしたことを最も主要な特徴とする。【００１２】特定の情報を発信したいと考えるユーザーが、自身の情報を取得したいと考える情報源から情報を収集し、他のユーザーに対し情報発信を行うためのスマートフォンその他情報端末上で動くアプリケーション、および、ＷＥＢサービスを簡単に作成出来る自動情報収集配信プログラム。【００１３】情報配信サーバー、情報蓄積用データベースサーバー、クローラー（情報収集エンジン）により、個々のユーザーが必要としている情報を個々のユーザーが設定したインターネット上の情報収集元から集め、ユーザーの求めに応じてスマートフォンなどの情報端末やＷＥＢサービスに配信して画面上に表示させる自動情報収集配信プログラム。【００１４】情報配信サーバーに保存された情報を、ユーザーの求めるキーワードに応じて、ユーザー自身のＷＥＢコンテンツの一部のスペースに対して、情報を配信する自動情報収集配信プログラム。【００１５】情報を配信したいと考えるユーザーがインターネット上にある情報を配信したいと考えるユーザー自身の求めるキーワードに対してユーザー自身が設定した情報収集元から自動で情報を収集し、サーバーに蓄積し、情報を配信したいと考えるユーザーが編集を加えた上で、ＷＥＢコンテンツ、もしくは、スマートフォンやその他情報端末上で該当キーワードに興味のある参加ユーザー同士で論評を加える目的で、閲覧可能な状態にしインターネットを介して情報端末、もしくは、ＷＥＢ上に配信する自動情報収集配信プログラム。【００１６】前述の請求項４に記載の参加ユーザー、および、論評を加えるユーザー同士が、お互いが論評しやすくするために、スマートフォンやその他情報端末あるいはパソコン上で選択したコメントから派生する一連のコメントをスマートフォンあるいはパソコン上の一定の操作を用いて、階層別に表示するプログラム。【００１７】また、請求項１、請求項４において、特定の情報を発信したいと考えるユーザーが、自動情報収集配信プログラムを利用し、特定の情報を発信するＷＥＢサービス、スマートフォンやその他情報端末上で動くアプリケーションを運営し広告収入を得たいと考えた場合、自動情報収集配信プログラムサービス提供者と提供された自動情報収集配信プログラムを利用しＷＥＢサービス、アプリケーションを運営するユーザーの間で、一定比率での広告収入を分配する（例えば、広告がクリックされた回数や時間配分の比率によって）プログラム。
【発明の効果】
【００１８】本発明によれば、情報を収集し、編集・配信しようとするユーザーは、簡単な登録情報（ＩＤ、パスワードなど）を登録し、キーワード、情報収集元のＷＥＢサービスを選定をするだけで、情報の閲覧、配信・編集を簡単に行う事が出来るようになり、利用ユーザーに対して、多くの利便性を提供することになる。検索サービスにおいて、１つのキーワードに該当する情報を収集する為には、検索で出力された内容に対して、情報が載っていると思われるホームページを１つ１つ見ていく時間を節約することが出来、また、検索サービス等の様々なサービスを提供するＷＥＢページをポータルサイトと呼ぶが、情報を得たいと考える人は、ポータルサイト内部で蓄積された情報を探し、閲覧する時間の節約を提供し、いつも同じいくつかのＷＥＢサービスから、情報を収集している人にとっては、毎回ＷＥＢサービスを閲覧しては、他のＷＥＢサービスを閲覧するという作業を短縮することが出来る。
また、ユーザー（個人、法人を問わず）が、情報を収集・配信したいキーワードを設定すると、設定したインターネット上の情報収集元としてのＷＥＢサービスからクローラープログラムにより自動で情報を収集し、情報蓄積データーベースに情報を蓄積し、ユーザー管理データーベースとヒモ付けすることで、簡単にＷＥＢサイト・アプリケーションを構築し、収集した情報を編集・配信することをできるようにし、同時に、ユーザー自身が、コンテンツの配信、編集の権限を持つＷＥＢサービス、アプリケーションを簡単に作成出来るようにしたことにより、新しいインターネット上のコミュニケーション、ビジネスの可能性を提供するものである。【００１９】例えば、情報を発信したいユーザーが、自動情報収集配信プログラムを用いて、「車」に関する情報を発信したいと考えた場合、情報収集キーワードを「車」と設定し、インターネット上の情報収集元を「Ｙｏｕｔｕｂｅ」（登録商標）などの動画サイトや「ｔｗｉｔｔｅｒ」（登録商標）などのコメント配信サイトと設定すれば、車に関する情報を収集し、まとめた形で、ＷＥＢサービス、アプリケーションとして発信が可能となる。また、自動情報収集配信プログラムサービス提供者と提供された自動情報収集配信プログラムを利用しＷＥＢサービス、アプリケーションを運営するユーザーの間で、一定比率での広告収入を分配し、得ることが出来る。【００２０】例えば、通信販売を行っている事業者が、自動情報収集配信プログラムを用いて、通信販売を行っている事業者自身が運営しているショップを宣伝しようとした場合、「Ｙｏｕｔｕｂｅ」（登録商標）などの動画サイトや「ｔｗｉｔｔｅｒ」（登録商標）などのコメント配信サイトに通信販売を行っている事業者自身が、アップロードしている動画やコメントをＷＥＢサービス、アプリケーション上で、一括で表示することが出来、宣伝することが可能となる。また、楽天（登録商標）やアマゾン（登録商標）などで、通信販売を行っている場合は、楽天（登録商標）やアマゾン（登録商標）などから、通信販売を行っている事業者自身が販売している商品データを自動情報収集配信プログラムを用いて収集してくることで、商品情報をＷＥＢサービス、アプリケーション上で、掲載することが出来、宣伝することが可能となる。【００２１】例えば、サークル活動運営者が自動情報収集配信プログラムを用いて、サークル運営をする場合、「Ｙｏｕｔｕｂｅ」（登録商標）などの動画サイトや「ｔｗｉｔｔｅｒ」（登録商標）などのコメント配信サイトから、サークルのメンバーの登録した情報を集めて来、それを一括で表示することで、サークルのメンバー同士の交流を深める一助とすることが出来る。また、サークル活動運営者が自動情報収集配信プログラムを用いて作成されたＷＥＢサービス、アプリケーション上において、お互いにインターネットを通じてコメントをすることも可能となる。その際、一連のコメントをスマートフォンやその他情報端末あるいはパソコン上の一定の操作を用いて、階層別に表示することで、インターネットを通じて行われる会話は、スムーズに行われる事が可能となる。
【図面の簡単な説明】
【００２２】
【図１】図１はこのプログラムにおけるＷＥＢサービス、アプリケーション作成までの実施方法の流れを示した説明図である。
【図２】図２は、ハードを含めた自動情報収集配信プログラムの実施方法の説明図である
【図３】図３は、一連のコメントをスマートフォンやその他情報端末あるいはパソコン上の一定の操作を用いて、階層別に表示することの説明図である。
【図４】一定比率での広告収入を分配するプログラムのユーザー用管理画面の説明図である。
【発明を実施するための形態】
【００２３】例えば、特定の情報を発信したいと考えるユーザーが、自身の情報を取得したいと考えるインターネット上の情報収集元としてのＷＥＢサービスから情報を収集し、編集した上で、他のユーザーに対し情報発信を行うためのスマートフォンやその他情報端末上で動くアプリケーション、および、ＷＥＢサービスを簡単に作成出来るプログラムの場合、下記のステップで解決される。（参照図１、図２）
（ＳＴＥＰ１）
サービス提供者の提供するＷＥＢサービス上で、配信したいと考えているユーザー自身の個人情報（ＩＤ，パスワードなど）をキーボードなどを使って入力し登録する。ユーザーが登録した内容は、インターネットを介し、ユーザー管理データベースに保存される。
（ＳＴＥＰ２）
サービス提供者の提供するＷＥＢサービス上で、情報配信したいと考える好きな芸能人、スポーツ選手、話題となっている事柄などのキーワード、情報を収集したいと考えるインターネット上のＷＥＢサービスを選定し、ユーザー自身が配信するＷＥＢサービス名、アプリケーション名を決定し、キーボードなどを使って入力する。ユーザーが登録した内容は、インターネットを介し、ユーザー管理データベースに保存される。
（ＳＴＥＰ３）
この段階で、サービス提供者の提供するＷＥＢサービス上において、ユーザー自身が配信、編集権限を持つＷＥＢサービス、スマートフォンその他情報端末用アプリケーションは、「ＷＥＢサービス、スマートフォンその他情報端末用でアプリケーションを作成する」ボタンを押すことで作成される。アプリケーションを作成した場合は、ユーザーが選定したアプリケーション名が付与された形で、ユーザーのパソコン上にダウンロードされ容易に配布できる形態で保存される。
（ＳＴＥＰ４）
ユーザーにより、「ＷＥＢサービス、スマートフォンその他情報端末用でアプリケーションを作成する」ボタンを押すことでＷＥＢサービス、アプリケーションが作成された段階で、ユーザーによって登録されたキーワード、情報収集をしたいと考えるＷＥＢサービスに対し、クロールプログラムが、インターネットを介し、自動で閲覧し、情報の収集を行い、情報蓄積データーベースに対し、蓄積を開始する。
（ＳＴＥＰ５）
ユーザー自身が配信、編集権限を持つＷＥＢサービス、スマートフォンその他情報端末用アプリケーションにおける編集、表示させるコンテンツの選択は、サービス提供者の提供するＷＥＢサービス上において行われる。サービス提供者の提供するクロールプログラムが、インターネットを介し、自動で閲覧し、情報の収集を行い、情報蓄積データーベースに対し、蓄積した情報は、ユーザー管理サーバーによりヒモ付けされ、情報配信サーバーにより配信され、サービス提供者の提供するＷＥＢサービス上において一覧表示され、配信、編集権限を持つユーザーにより、どの情報を表示するかの選択が行われ、情報に対する編集が行われる。このクロールプログラムによって収集された情報は、随時最新のデータが収集されるので、編集権限を持つユーザーは、いつでも編集作業を行う事が出来る。
（ＳＴＥＰ６）
ユーザー自身が配信、編集権限を持つＷＥＢサービス、スマートフォンその他情報端末用アプリケーションによって編集された内容は、インターネットを介し、アプリケーションをダウンロードしたエンドユーザー、ＷＥＢサービスを訪問したエンドユーザーにより閲覧される。
以上のＳＴＥＰにより、上述のシステムの実現を可能とする。
【００２４】例えば、情報配信サーバー、情報蓄積用データベースサーバー、クローラー（情報収集エンジン）により、個々のユーザーが必要としている情報を個々のユーザーが設定したインターネット上の情報収集元としてのＷＥＢサービスから集め、ユーザーの求めに応じて情報端末に配信して画面上に表示させるプログラムの場合、下記のステップで解決される。
（ＳＴＥＰ１）
閲覧を可能とするソフトウェアをサービス提供者の提供するＷＥＢサービス上から、ダウンロードする。
（ＳＴＥＰ２）
ダウンロードした閲覧用のソフトウェア上で、配信したいと考えているユーザー自身の個人情報（ＩＤ，パスワードなど）をキーボードなどを使って入力し登録する。ユーザーが登録した内容は、インターネットを介し、ユーザー管理データベースに保存される。
（ＳＴＥＰ３）
情報を収集したいと考える好きな芸能人、スポーツ選手、話題となっている事柄などのキーワードをダウンロードした閲覧用のソフトウェアの上で、キーボードなどを使用し、入力する。ユーザーによって、入力された情報は、インターネットを介し、ユーザー管理データベースに保存される。
（ＳＴＥＰ４）
ユーザーが情報収集をしたいと考えるキーワードを登録したことにより、サービス提供者の提供するクロールプログラムが、インターネットを介し、自動でユーザーが設定したインターネット上の情報収集元としてのＷＥＢサービスを閲覧し、情報の収集を行い、インターネットを介し、情報蓄積データーベースに対し、蓄積を開始する。
（ＳＴＥＰ５）
情報蓄積データベースに対し蓄積されたデータは、ユーザーの求めに応じ、インターネットを介して、ユーザー管理データベースにヒモ付けされ、情報配信サーバーによって配信され、該当する情報を必要とするユーザーに、ユーザーがダウンロードしてある閲覧用ソフトウェアの上で表示される。
以上のＳＴＥＰにより、上述のシステムの実現を可能とする。
【００２５】例えば、情報配信サーバーに保存された情報を、ユーザーの求めるキーワードに応じてユーザーの情報端末の一部のスペースやユーザー自身のＷＥＢコンテンツの一部のスペースに対して、情報を配信するプログラムの場合、下記のＳＴＥＰで、解決される。
（ＳＴＥＰ１）
サービス提供者の提供するＷＥＢサービス上で、配信したいと考えているユーザー自身の個人情報（ＩＤ，パスワードなど）をキーボードなどを使って入力し登録する。ユーザーが登録した内容は、インターネットを介し、ユーザー管理データベースに保存される。
（ＳＴＥＰ２）
サービス提供者の提供するＷＥＢサービス上で、情報配信したいと考える好きな芸能人、スポーツ選手、話題となっている事柄などのキーワード、情報を収集したいと考えるインターネット上のＷＥＢサービスを選定する。
（ＳＴＥＰ３）
ユーザーが情報収集をしたいと考えるキーワードを登録したことにより、サービス提供者の提供するクロールプログラムが、インターネットを介し、自動でユーザーが設定したインターネット上の情報収集元としてのＷＥＢサービスを閲覧し、情報の収集を行い、インターネットを介し、情報蓄積データーベースに対し、蓄積を開始する。
（ＳＴＥＰ４）
ユーザー自身のＷＥＢコンテンツの一部のスペースに対して、情報を表示させるためのプログラムモジュールをサービス提供者の提供するＷＥＢサービス上からダウンロードし、ユーザー自身のＷＥＢコンテンツのプログラムの中に組み込む。
（ＳＴＥＰ５）
ユーザー自身のＷＥＢコンテンツの一部のスペースに対して、情報を表示させるためのプログラムモジュールをサービス提供者の提供するＷＥＢサービス上からダウンロードし、ユーザー自身のＷＥＢコンテンツのプログラムの中に組み込みこんだファイルを、ユーザー自身のＷＥＢコンテンツのファイルをアップロードし管理しているサーバー上にアップロードする。
（ＳＴＥＰ６）
サービス提供者の提供するクロールプログラムが、インターネットを介し、自動でユーザーが設定したインターネット上の情報収集元としてのＷＥＢサービスを閲覧し、情報の収集を行い、インターネットを介し、情報蓄積データーベースに対し蓄積した情報が、ユーザー自身のＷＥＢコンテンツ上の一部のスペース上に表示する為に組み込まれたサービス提供者の提供するモジュール上にユーザー管理サーバーによってヒモ付けされ、情報配信サーバーによって、自動的に、エンドユーザーに閲覧可能な状態で表示される。
以上のＳＴＥＰにより、上述のシステムの実現を可能とする。
【００２６】例えば、情報を配信したいと考えるユーザーがインターネット上にある情報の一部を情報を配信したいと考えるユーザー自身の求めるキーワードに対してユーザー自身が設定した情報収集元から自動で情報を収集し、サーバーに蓄積し、情報を配信したいと考えるユーザーが編集を加えた上で、ＷＥＢコンテンツ、もしくは、情報端末上で該当キーワードに興味のある参加ユーザー同士で論評を加える目的で、閲覧可能な状態にしインターネットを介して情報端末、もしくは、ＷＥＢ上に配信するプログラムの場合、下記のＳＴＥＰで、解決される。
（ＳＴＥＰ１）
サービス提供者の提供するＷＥＢサービス上で、配信したいと考えているユーザー自身の個人情報（ＩＤ，パスワードなど）をキーボードなどを使って入力し登録する。ユーザーが登録した内容は、インターネットを介し、ユーザー管理データベースに保存される。
（ＳＴＥＰ２）
サービス提供者の提供するＷＥＢサービス上で、情報配信したいと考える好きな芸能人、スポーツ選手、話題となっている事柄などのキーワード、情報を収集したいと考えるインターネット上のＷＥＢサービスを選定し、ユーザー自身が配信するＷＥＢサービス名、アプリケーション名を決定し、キーボードなどを使って入力する。ユーザーが登録した内容は、インターネットを介し、ユーザー管理データベースに保存される。
（ＳＴＥＰ３）
この段階で、サービス提供者の提供するＷＥＢサービス上において、ユーザー自身が配信、編集権限を持つＷＥＢサービス、アプリケーションは、「ＷＥＢサービス、アプリケーションを作成する」ボタンを押すことで作成される。アプリケーションを作成した場合は、ユーザーが決定したアプリケーション名が付与された形で、ユーザーのパソコン上にダウンロードされ容易に配布できる形態で保存される。
（ＳＴＥＰ４）
ユーザーにより、「ＷＥＢサービス、アプリケーションを作成する」ボタンを押すことでＷＥＢサービス、アプリケーションが作成された段階で、ユーザーによって登録されたキーワード、情報収集をしたいと考えるＷＥＢサービスに対し、クロールプログラムが、インターネットを介し、自動で閲覧し、情報の収集を行い、情報蓄積データーベースに対し、蓄積を開始する。
（ＳＴＥＰ５）
ユーザー自身が配信、編集権限を持つＷＥＢサービス、アプリケーションにおける編集、表示させるコンテンツの選択は、サービス提供者の提供するＷＥＢサービス上において行われる。サービス提供者の提供するクロールプログラムが、インターネットを介し、自動で閲覧し、情報の収集を行い、情報蓄積データーベースに対し、蓄積した情報は、サービス提供者の提供するＷＥＢサービス上において一覧表示され、配信、編集権限を持つユーザーにより、どの情報を表示するかの選択が行われ、情報に対する編集が行われる。また、サービス提供者の提供するＷＥＢサービス上で用意したユーザー同士がコミュニケーションをとれるコメント入力欄や、掲示板などを表示させる設定にする。
（ＳＴＥＰ６）
ユーザー自身が配信、編集権限を持つＷＥＢサービス、アプリケーションによって編集された内容は、ユーザー管理サーバーによってヒモ付けされ、情報配信サーバーによって、インターネットを介して配信され、アプリケーションをダウンロードしたエンドユーザー、ＷＥＢサービスを訪問したエンドユーザーにより閲覧される。また、同時にユーザー自身が配信、編集した記事に対して、エンドユーザーにより、論評が加えられる環境が整った形で表示される。
以上のＳＴＥＰにより、上述のシステムの実現を可能とする。
【００２７】前述の請求項４に記載の参加ユーザー、および、論評を加えるユーザー同士が、お互いが論評しやすくするために、スマートフォンあるいはパソコン上で選択したコメントから派生する一連のコメントをスマートフォンやその他情報端末あるいはパソコン上の一定の操作を用いて、階層別に表示するプログラムの場合、下記のＳＴＥＰで、解決される。（参照  図３）
（ＳＴＥＰ１）
親コメントに対して、子コメントが複数付けられている場合で、なおかつ、１つの子コメントに対し返信された一連のコメントを見たい場合、閲覧しているユーザーが一連のコメント見たいと思うコメントをスマートフォンやその他情報端末あるいはパソコン画面上で選択する。
（ＳＴＥＰ２）
上記ＳＴＥＰで、選択された子コメントは、横にスライドし、子コメントに付けられた孫コメントが、一覧で表示される。孫コメントに付けられているコメントに対し返信された一連のコメントを見たい場合、上記操作を繰り返し行う事で一覧表示が可能となる。
以上のＳＴＥＰにより、上述のシステムの実現を可能とする。
【００２８】特定の情報を発信したいと考えるユーザーが、自動情報収集配信プログラムを利用し、特定の情報を発信するＷＥＢサービス、アプリケーションを運営し広告収入を得たいと考えた場合、自動情報収集配信プログラムサービス提供者と提供された自動情報収集配信プログラムを利用しＷＥＢサービス、アプリケーションを運営するユーザーの間で、一定比率での広告収入を分配するプログラムの場合、下記のＳＴＥＰで、解決される。（参照  図４）
（ＳＴＥＰ１）
サービス提供者の提供するＷＥＢサービス上で、自動情報収集配信プログラムを利用し、ＷＥＢサービス、アプリケーションを配信する場合、広告はサービス提供者の広告が表示されるようになっている。
（ＳＴＥＰ２）
サービス提供者の提供するＷＥＢサービス上で、自動情報収集配信プログラムを利用し、ＷＥＢサービス、アプリケーションを配信したいと考えているユーザー自身の管理画面にログインし、広告の表示に関する入力欄に対して、自動情報収集配信プログラムを利用し、ＷＥＢサービス、アプリケーションを配信したいと考えているユーザー自身の広告に関する入力をキーボード等を使って行い、登録を行う。
（ＳＴＥＰ３）
ＳＴＥＰ２の登録以降、サービス提供者と自動情報収集配信プログラムを利用し、ＷＥＢサービス、アプリケーションを配信したいと考えているユーザーの間で取り決められた比率、例えば、広告がクリックされた回数や時間配分の比率によって、お互いの広告が表示される。
以上のＳＴＥＰにより、上述のシステムの実現を可能とする。
【図１】
2014238799.tif 000003
【図２】
2014238799.tif 000004
【図３】
2014238799.tif 000005
【図４】
2014238799.tif 000006